(57)【要約】【課題】  部屋の間仕切りの取り付けや撤去を容易に且つ安価にすることが可能な間仕切りパネルを提供する。【解決手段】  間仕切りパネル１は、複数の間仕切り柱８とその間仕切り柱８の柱表裏面側に取り付ける複数の化粧パネル６とを備えるとともに、部屋２の天井３及び床４に固定される。化粧パネル６は、着脱式のものである。天井３及び床４には、間仕切り柱８を取り付けるためのＴ型レール７又はＬ型レールを設ける。そのＴ型レール７又はＬ型レールの凸部７ｄには、間仕切り柱８の上下の凸部差込溝を差し込む。ガイドピン又はボルトによりＴ型レール７又はＬ型レールと間仕切り柱８とを固定する。【選択図】    図１
2006183273.tif 000002
【特許請求の範囲】
【請求項１】
複数の間仕切り柱と該間仕切り柱の柱表裏面側に取り付ける複数の化粧パネルとを備えるとともに、部屋の天井及び床に固定される間仕切りパネルであって、
前記化粧パネルは着脱式のものであり、前記天井及び床に、前記間仕切り柱を取り付けるためのＴ型レール又はＬ型レールを設け、該Ｔ型レール又はＬ型レールの凸部に前記間仕切り柱の上下に設けた溝を差し込み、ガイドピン又はボルトにより前記Ｔ型レール又はＬ型レールと前記間仕切り柱とを固定する
ことを特徴とする間仕切りパネル。
【請求項２】
複数の間仕切り柱と該間仕切り柱の柱表裏面側に取り付ける複数の化粧パネルとを備えるとともに、部屋の天井及び床に固定される間仕切りパネルであって、
前記化粧パネルは着脱式のものであり、前記天井及び床に、前記間仕切り柱を取り付けるためのＴ型レール又はＬ型レールを設け、該Ｔ型レール又はＬ型レールの凸部には、少なくとも前記間仕切り柱の数分だけ貫通孔を形成し、前記間仕切り柱には、その上部及び下部に、柱両側面間を切り欠く溝と、該溝に略直交し前記柱表裏面間を貫通する柱側貫通孔とをそれぞれ形成し、前記Ｔ型レール又はＬ型レールを介して立てた前記間仕切り柱の前記柱側貫通孔と、該柱側貫通孔の位置に合う前記凸部の貫通孔には、これら前記柱側貫通孔及び前記貫通孔に跨って差し込まれるガイドピンを設ける
ことを特徴とする間仕切りパネル。
【請求項３】
請求項２に記載の間仕切りパネルにおいて、
前記貫通孔を、上下方向に長い長円形に形成する
ことを特徴とする間仕切りパネル。
【請求項４】
請求項２又は請求項３に記載の間仕切りパネルにおいて、
前記ガイドピンの幅を、前記柱側貫通孔及び前記貫通孔の幅と同じに形成又は若干小さく形成する
ことを特徴とする間仕切りパネル。
【請求項５】
請求項１ないし請求項４いずれか記載の間仕切りパネルにおいて、
前記柱側貫通孔の外側から該柱側貫通孔を覆う幕板・巾木を設ける
ことを特徴とする間仕切りパネル。
【請求項６】
請求項１ないし請求項５いずれか記載の間仕切りパネルにおいて、
前記Ｔ型レール又はＬ型レールに、前記凸部の存在しない柱導入部を形成する
ことを特徴とする間仕切りパネル。
【請求項７】
請求項１ないし請求項６いずれか記載の間仕切りパネルにおいて、
前記化粧パネルの裏面にフックを設け、前記間仕切り柱の前記柱表裏面には前記フックに対応するフック係止部を一体又は別体で設ける
ことを特徴とする間仕切りパネル。
【請求項８】
請求項１ないし請求項７いずれか記載の間仕切りパネルにおいて、
前記化粧パネルを、４５０ｍｍの幅を基本寸法とし、３７５ｍｍの幅をサブ的な寸法とする
ことを特徴とする間仕切りパネル。
【発明の詳細な説明】
【技術分野】
【０００１】
この発明は、特に部屋の仕切り壁として好適な間仕切りパネルに関するものである。
【背景技術】
【０００２】
従来の部屋の間仕切りは、土壁や板によって作られている。また、間仕切りは、天井や床や壁に対して強固に固定されている（例えば非特許文献１参照。）。
【非特許文献１】冨塚信司、森安四郎、五十嵐永吉著「図説建築用語事典」実教出版株式会社、昭和６０年７月１５日第５刷発行、４２１頁「間仕切り」
【発明の開示】
【発明が解決しようとする課題】
【０００３】
従来の間仕切りにあっては、大工や左官により、手間を掛けて頑丈な構造となるように工事されている。そのため、新たな間仕切りの設置や間仕切りの変更をしようとする場合には、容易に設置や変更をすることができないという問題点を有している。また、多くの費用を必要とするという問題点も有している。
【０００４】
近年、家を新築する場合に、当初は広い間取りとし、必要に応じて間仕切りを設ける家庭が増えてきている。例えば、子供が小さい時には、広い部屋で家族が共同で生活をし、子供が成長して自分の部屋を欲しがるようになった時には、部屋に間仕切りを設けて子供部屋を作ろうと考えている。そして、子供が独立して家を離れたら、再び間仕切りを撤去して部屋の構造を変えようと考えている。しかしながら、現状では上記の問題点が障害となっている。
【０００５】
この発明が解決しようとする課題は、部屋の間仕切りの取り付けや撤去を容易に且つ安価にすることが可能な間仕切りパネルを提供することである。
【課題を解決するための手段】
【０００６】
この発明は、前記課題を解決するためになされたもので、請求項１に記載の発明は、複数の間仕切り柱と該間仕切り柱の柱表裏面側に取り付ける複数の化粧パネルとを備えるとともに、部屋の天井及び床に固定される間仕切りパネルであって、前記化粧パネルは着脱式のものであり、前記天井及び床に、前記間仕切り柱を取り付けるためのＴ型レール又はＬ型レールを設け、該Ｔ型レール又はＬ型レールの凸部に前記間仕切り柱の上下に設けた溝を差し込み、ガイドピン又はボルトにより前記Ｔ型レール又はＬ型レールと前記間仕切り柱とを固定することを特徴としている。
【０００７】
このような請求項１に記載の発明によれば、間仕切りパネルを構成する複数の間仕切り柱が、同じく間仕切りパネルを構成するＴ型レール又はＬ型レールによって取り付けられる。Ｔ型レール又はＬ型レールは、天井及び床に固定され、間仕切り柱は、上下に設けた溝にＴ型レール又はＬ型レールの凸部が差し込まれるような格好で立てられる。Ｔ型レール又はＬ型レールを介して天井及び床の間に立てられた間仕切り柱は、ガイドピン又はボルトによりＴ型レール又はＬ型レールに固定される。立てられた間仕切り柱の柱表裏面側には、化粧パネルが取り付けられ、これによって間仕切りパネルが出来上がる。
【０００８】
請求項２に記載の発明は、複数の間仕切り柱と該間仕切り柱の柱表裏面側に取り付ける複数の化粧パネルとを備えるとともに、部屋の天井及び床に固定される間仕切りパネルであって、前記化粧パネルは着脱式のものであり、前記天井及び床に、前記間仕切り柱を取り付けるためのＴ型レール又はＬ型レールを設け、該Ｔ型レール又はＬ型レールの凸部には、少なくとも前記間仕切り柱の数分だけ貫通孔を形成し、前記間仕切り柱には、その上部及び下部に、柱両側面間を切り欠く溝と、該溝に略直交し前記柱表裏面間を貫通する柱側貫通孔とをそれぞれ形成し、前記Ｔ型レール又はＬ型レールを介して立てた間仕切り柱の前記柱側貫通孔と、該柱側貫通孔の位置に合う前記凸部の貫通孔には、これら前記柱側貫通孔及び前記貫通孔に跨って差し込まれるガイドピンを設けることを特徴としている。
【０００９】
このような請求項２に記載の発明によれば、間仕切りパネルを構成する複数の間仕切り柱が、同じく間仕切りパネルを構成するＴ型レール又はＬ型レールによって取り付けられる。Ｔ型レール又はＬ型レールは、天井及び床に固定され、間仕切り柱は、上下に設けた溝にＴ型レール又はＬ型レールの凸部が差し込まれるような格好で立てられる。Ｔ型レール又はＬ型レールを介して天井及び床の間に立てられた間仕切り柱は、ガイドピンによりＴ型レール又はＬ型レールに固定される。ガイドピンは、間仕切り柱の上部及び下部に設けた柱側貫通孔と、Ｔ型レール又はＬ型レールの凸部に設けた貫通孔とに跨って差し込まれる。間仕切り柱の柱側貫通孔と凸部の貫通孔は、間仕切り柱が立てられた時に孔同士の位置が一致するように設けられる。立てられた間仕切り柱の柱表裏面側には、化粧パネルが取り付けられ、これによって間仕切りパネルが出来上がる。
【００１０】
請求項３に記載の発明は、請求項２に記載の間仕切りパネルにおいて、前記貫通孔を、上下方向に長い長円形に形成することを特徴としている。このような請求項３に記載の発明によれば、天井と床とが平行でない場合や、天井面、床面に不陸がある場合であっても、間仕切り柱とＴ型レール又はＬ型レールとの固定が可能となる。長円形の貫通孔が固定の際に生じる上下方向の位置ズレを吸収する。
【００１１】
請求項４に記載の発明は、請求項２又は請求項３に記載の間仕切りパネルにおいて、前記ガイドピンの幅を、前記柱側貫通孔及び前記貫通孔の幅と同じに形成又は若干小さく形成することを特徴としている。このような請求項４に記載の発明によれば、間仕切りパネル設置の際にガイドピンを差し込み易くし、間仕切りパネル撤去の際には、容易に間仕切り柱とＴ型レール又はＬ型レールとの固定を解除し易くすることが可能になる。
【００１２】
請求項５に記載の発明は、請求項１ないし請求項４いずれか記載の間仕切りパネルにおいて、前記柱側貫通孔の外側から該柱側貫通孔を覆う幕板・巾木を設けることを特徴としている。このような請求項５に記載の発明によれば、ガイドピン又はボルトの脱落が幕板・巾木によって抑えられる。また、ガイドピン又はボルトを隠して美観を向上させることが可能になる。
【００１３】
請求項６に記載の発明は、請求項１ないし請求項５いずれか記載の間仕切りパネルにおいて、前記Ｔ型レール又はＬ型レールに、前記凸部の存在しない柱導入部を形成することを特徴としている。このような請求項６に記載の発明によれば、柱導入部に間仕切り柱の上部、下部を位置させ、レール延在方向に間仕切り柱をスライドさせれば、間仕切り柱を天井及び床の間に容易に立てられる。柱導入部を設けずに間仕切り柱を回転方向に移動させて天井及び床の間に立てることもできるが、この場合、間仕切り柱の全長を十分に考慮しなければならないため、すなわち、天井及び床のレール間隔よりも全長を若干短くしなければならないため、請求項６に記載の発明の柱導入部は有用になる。
【００１４】
請求項７に記載の発明は、請求項１ないし請求項６いずれか記載の間仕切りパネルにおいて、前記化粧パネルの裏面にフックを設け、前記間仕切り柱の前記柱表裏面には前記フックに対応するフック係止部を一体又は別体で設けることを特徴としている。このような請求項７に記載の発明によれば、間仕切りパネルの設置や撤去をより一層容易にすることが可能となる。
【００１５】
さらに、請求項８に記載の発明は、請求項１ないし請求項７いずれか記載の間仕切りパネルにおいて、前記化粧パネルを、４５０ｍｍの幅を基本寸法とし、３７５ｍｍの幅をサブ的な寸法とすることを特徴としている。このような請求項８に記載の発明によれば、２つのサイズだけで在来工法に対して全て対応することが可能となる。
【発明の効果】
【００１６】
請求項１、２に記載の発明によれば、部屋の間仕切りの取り付けや撤去を容易に且つ安価にすることが可能な間仕切りパネルを提供することができる。請求項３に記載の発明によれば、天井と床とが平行でない場合や、天井面、床面に不陸がある場合であっても、間仕切り柱とＴ型レール又はＬ型レールとの固定を容易に行うことができる。請求項４に記載の発明によれば、間仕切りパネルの設置や撤去を容易にすることができる。請求項５に記載の発明によれば、ガイドピン又はボルトの脱落を抑え、また、ガイドピン又はボルトを隠して美観を向上させることができる。請求項６に記載の発明によれば、間仕切り柱を天井及び床の間に容易に立てることができる。請求項７に記載の発明によれば、間仕切りパネルの設置や撤去をより一層容易にすることができる。さらに、請求項８に記載の発明によれば、２つのサイズだけで在来工法に対して全て対応することができる。
【発明を実施するための最良の形態】
【００１７】
つぎに、この発明の実施の形態について説明する。この発明は、部屋の仕切り壁として好適な間仕切りパネルの発明であり、間仕切りパネルは、その設置や撤去が容易となるように構成されている。具体的に、この発明の間仕切りパネルは、複数の間仕切り柱と、複数の化粧パネルと、上下一対のＴ型レールと、幕板・巾木と、複数のガイドピンとを備えて構成されている。複数の間仕切り柱は、Ｔ型レールを介して天井面及び床面の間に固定されるように構成されている。また、化粧パネルは、着脱式のもので、間仕切り柱の柱表裏面側に取り付けられるように構成されている。
【００１８】
Ｔ型レールは、天井及び床に平行に取り付けられている。ここでは、Ｔ型レールを用いているが、この他にはＬ型レールがあり、どちらを用いてもよいものとする。レールに関しては、間仕切り柱の差し込みが可能な凸部を有するものであれば、形状にこだわらないものとする。レール材質は、アルミニウム、ステンレス、鉄、プラスチックなどが一例として挙げられる。レール固定方法は、木ネジや両面接着テープなどが一例として挙げられるが、間仕切りパネル撤去後に跡が目立たない方法であればこの限りでないものとする。
【００１９】
Ｔ型レールは、部屋を間仕切りパネルによって真っ直ぐに仕切る場合に、左右の壁近傍まで延在する長いもの、又は幾つかに分割されて一列に並べると左右の壁近傍まで延在するものとして形成されている。また、Ｔ型レールは、部屋の途中で間仕切りパネルがその向きを変える場合に、必要な長さに応じて形成されている。このようなＴ型レールには、柱導入部が少なくとも一カ所存在するように設定されている。柱導入部は、天井のＴ型レールと床のＴ型レールとにおいて、同じ位置に配置形成されている。柱導入部は、間仕切り柱を上下方向に立てる際に用いる部分であって、Ｔ型レールの凸部を例えば部分的に取り除くようにして形成されている。柱導入部は、間仕切り柱の柱両側面間の長さよりも長く凸部を取り除くようにして形成されている。
【００２０】
Ｔ型レールの凸部には、貫通孔が複数形成されている。貫通孔は、間仕切り柱を構成する後述の間柱を固定する際に用いる貫通する穴であって、少なくとも間柱の数分だけ、そして、所定の間隔をあけて形成されている。貫通孔は、例えば円形又は長円形に形成されている。貫通孔は、天井と床とが平行でない場合や、天井面、床面に不陸がある場合が多々あることから、上下方向の位置ズレ吸収のために、上下方向に長い長円形に形成することが好ましい。
【００２１】
間仕切り柱は、部屋を間仕切りパネルによって真っ直ぐに仕切る場合に、スタート・エンド柱と、間柱とで構成されている。また、間仕切り柱は、部屋の途中で間仕切りパネルがその向きを変える場合に、スタート・エンド柱と、間柱と、コーナー柱とで構成されている。さらに、間仕切り柱は、独立壁とする場合に、上記の柱にエンド柱を追加して構成されている。
【００２２】
スタート・エンド柱は、左右の壁に接触するような状態で並設される柱として設けられている。また、スタート・エンド柱は、化粧パネルからの荷重が掛からない柱として設けられている。ここで、スタート・エンド柱は、化粧パネルからの荷重が掛からない柱であることから、その内部を部分的に中空構造にしてもよいものとする。スタート・エンド柱の材質としては、木質系、金属系、樹脂成型体、無機質系基材などが一例として挙げられる。
【００２３】
スタート・エンド柱には、その上部及び下部に溝が形成されている。溝は、端面中央で且つ柱両側面間を切り欠くように形成されている。溝は、Ｔ型レールの凸部のサイズに合わせて形成されている。また、スタート・エンド柱には、その上部及び下部に幕板・巾木に対する凹部が形成されている。凹部は、柱表裏面側に形成されている。その他、スタート・エンド柱の下部側面には、左右の壁の巾木に対する逃がし部分が形成されている。また、スタート・エンド柱の中間には、左右の壁に対して木ネジなどで固定するためのネジ孔が複数形成されている。ネジ孔は、柱両側面間を貫通するように形成されている。
【００２４】
間柱は、左右の壁に接触するスタート・エンド柱の間に配置される柱として設けられている。また、間柱は、化粧パネルからの荷重が掛かる柱として設けられている。間柱は、スタート・エンド柱のすぐ隣に配置される間柱と、左右の壁の間隔に応じて設けられる間柱とで構成されている。ここでは、どちらの間柱も同じ形状に形成されている。間柱は、化粧パネルからの荷重が掛かる柱であることから、十分な強度を有している。尚、間柱は、スタート・エンド柱のような中空構造を採用しても良いが、密実構造である方が強度耐久性にとって、より一層好適である。間柱の材質としては、木質系、金属系、樹脂成型体、無機質系基材などが一例として挙げられる。
【００２５】
間柱には、その上部及び下部に溝と柱側貫通孔とが形成されている。溝は、端面中央で且つ柱両側面間を切り欠くように形成されている。溝は、Ｔ型レールの凸部のサイズに合わせて形成されている。溝は、スタート・エンド柱の凸部差込溝と同じ形状に形成されている。柱側貫通孔は、柱表裏面間を貫通するように略円形に形成されている。また、柱側貫通孔は、溝に略直交するように形成されている。間柱には、その上部及び下部に幕板・巾木に対する凹部が形成されている。凹部は、柱表裏面側に形成されている。間柱の中間には、複数のフック係止部が形成されている。
【００２６】
フック係止部は、化粧パネルを取り付けるための部分であって、柱表裏面を凹ませるように形成されている。フック係止部は、フック導入部分とフック引掛け係止部分とを有している。フック導入部分は、間柱の柱表裏面方向、言い換えれば厚み方向に凹ませるように形成されている。フック導入部分の深さは、化粧パネルの後述するフックのサイズに合わせるのは勿論のこと、化粧パネルを間柱に取り付けた際に、化粧パネルの裏面が間柱の柱表裏面に当接するような深さに形成されている。
【００２７】
フック引掛け係止部分は、フックを引っ掛けて係止するための溝であって、フック導入部分の奥面から間柱の下部に向けて切り欠くように形成されている。ここで、フック引掛け係止部分を間柱の上部に向けて上記と同じように形成すれば、間柱の上下が立てる際に仮に逆になってしまったとしても、機能が損なわれないようになる。フック引掛け係止部分をフック導入部分の奥面の上下に形成することが好ましい形態であるものとする。このような構造のフック係止部は、化粧パネルのサイズや後述するフックの位置に応じてその数が設定されている。
【００２８】
フック係止部は、上記の他に、間柱に取り付けて上記フック引掛け係止部分と同じ機能を有する部材や、後述のフックを引っ掛けるフック状の部材（例えばフック状の専用の金具）を用いることでもよいものとする。フック係止部は、化粧パネルを安定した状態で取り付けすることができるものであればどのような形状であってもよいものとする。その他、フック係止部を化粧パネル側に設け、後述のフックを間柱側に設けることでも良いものとする。
【００２９】
化粧パネルは、所定の厚みを有し、平面視の形状が正方形状又は長方形となるように形成されている。化粧パネルは、その表面が化粧面となり、裏面が間仕切り柱の柱表裏面に当接する柱当接面となるように形成されている。化粧パネルは、遮音性や耐火性を有する板を貼り合わせて補強が施されていることが望ましい。上記化粧面は、壁となる部分であるので、必要に応じて塗装仕上げ又は化粧貼り仕上げが施されている。化粧パネルの端は、エッジのまま又は角をとって面取り仕上げがなされている。尚、例えば、上下の角をとって面取り仕上げをした化粧パネルの場合には、左右幅方向の寸法を切断によって調整することが可能となる。化粧パネルの端には、隣り合う化粧パネルの端に当接する平面、又は互いに嵌合し合う嵌合部が形成されている。化粧パネルの材質としては、木質系、金属系、樹脂成型体、石材系、無機質系基材などが一例として挙げられる。化粧パネルは、４５０ｍｍの幅を基本寸法とし、３７５ｍｍの幅をサブ的な寸法とする。
【００３０】
化粧パネルの裏面、すなわち上記柱当接面には、複数のフックが設けられている。フックは、化粧パネルを間仕切り柱に対して着脱自在のものとするために設けられている。フックは、例えば裏面の四隅又は裏面上部の二隅に設けられている。フックの数は、必要に応じて増やすことも減らすことも可能であるものとする。フックは、金属製、合成樹脂製のいずれであってもよく、十分な強度と弾力性とを有するものが好ましいものとする。フックの自由端部と化粧パネルの裏面との間には、取り付けの際に、間柱のフック引掛け係止部分が圧入されるような関係が設定されている。間柱のフック引掛け係止部分が圧入されると、化粧パネルのガタツキと脱落とが抑えられるようになる。
【００３１】
ガイドピンは、所定の長さを有する略丸形棒状の部材であって、間仕切り柱の柱側貫通孔及びＴ型レールの凸部の貫通孔の幅よりも直径が若干小さく、又は丁度同じ直径となるように形成されている。ガイドピンは、間仕切りパネル撤去時の作業性を考慮して上記の直径に形成されている。すなわち、圧入による完全固定の状態とならないように形成されている。ガイドピンの両端部には、柱側貫通孔及び貫通孔に対して差し込みをし易くするためのテーパ面が形成されている。ガイドピンの材質としては、木質系、金属系、合成樹脂系、竹などが一例として挙げられる。ガイドピンは、間仕切り柱をＴ型レールに対して係止固定するための部材であるが、これに限らずボルトを用いて固定してもよいものとする。
【００３２】
上記構成において、間仕切りパネルは、レール取り付け工程と、間仕切り柱取り付け工程と、幕板・巾木取り付け工程と、化粧パネル取り付け工程とを経て部屋に設置される。
【００３３】
レール取り付け工程は、Ｔ型レールを天井及び床に取り付ける工程であり、部屋を間仕切りパネルによって真っ直ぐに仕切る場合には、Ｔ型レールが天井及び床に真っ直ぐに取り付けられる。
【００３４】
間仕切り柱取り付け工程は、天井及び床に取り付けられたＴ型レールを介して、スタート・エンド柱及び間柱を各々立てて固定する工程である。先ず、スタート・エンド柱を立てて、次いで間柱を立てる手順となる。具体的に説明すると、スタート・エンド柱をＴ型レールの柱導入部にセットし、その後、Ｔ型レールのレール延在方向にスライドさせ、部屋の左右の壁に接触させると、スタート・エンド柱は、仮固定の状態で天井及び床の間に立てられる。そして、天井及び床の間に立てられたスタート・エンド柱をビスなどで左右の壁に固定すると、スタート・エンド柱の取り付けが完了する。
【００３５】
間柱は、スタート・エンド柱に接触、又は近傍に配置される間柱と、その間柱の間に配置される間柱とがあり、前者の間柱の場合には、Ｔ型レールの柱導入部にセットし、その後、Ｔ型レールのレール延在方向にスライドさせ、スタート・エンド柱に接触、又はその近傍に配置すると、仮固定の状態で天井面及び床面の間に立てられる。そして、天井面及び床面の間に立てられた間柱の柱側貫通孔とＴ型レールの凸部の貫通孔とに跨ってガイドピンを差し込むと、間柱のＴ型レールに対する固定が行われて取り付けが完了する。
【００３６】
一方、後者の間柱の場合には、Ｔ型レールの柱導入部にセットし、その後、Ｔ型レールのレール延在方向にスライドさせ、前者の間柱から所定の間隔で配置すると、仮固定の状態で天井面及び床面の間に立てられる。そして、間柱の柱側貫通孔とＴ型レールの凸部の貫通孔とに跨ってガイドピンを差し込むと、間柱のＴ型レールに対する固定が行われて取り付けが完了する。
【００３７】
幕板・巾木取り付け工程は、Ｔ型レールを介して天井及び床に取り付けられたスタート・エンド柱及び間柱の上部及び下部の凹部に幕板・巾木を取り付ける工程である。スタート・エンド柱及び間柱の凹部に幕板・巾木が取り付けられると、固定用のガイドピン又はボルトが覆われてそのガイドピン又はボルトの移動が不能となる。幕板・巾木によってガイドピン又はボルトの存在が外観上分からなくなる。
【００３８】
化粧パネル取り付け工程は、間仕切り柱における間柱の柱表裏面に化粧パネルを取り付ける工程であり、ここでは化粧パネルを床側から順に取り付ける場合の例を説明する。先ず、化粧パネルは、左右の壁の一方側から他方側に順に取り付けていき、床側の化粧パネルが一列に全て取り付けられると、上の段へ移り同じように取り付けられる。そして、最終的に天井側の化粧パネルが一列に全て取り付けられると、化粧パネルの一連の取り付けが完了する（他の施工方法としては、左右の壁の一方側の床側の化粧パネルから、順次上方へ取り付け、一列目が完了すると、続いて二列目を床側から天井へかけて順次取り付けていく。そして、もう一方の壁の方まで取り付けると化粧パネルの取付が完了する）。
【００３９】
化粧パネルと間柱との係止固定は、化粧パネル裏面のフックを間柱の柱表裏面のフック係止部に係止させることにより行われる。具体的には、化粧パネルを対応する間柱に向けて移動させると、フックがフック導入部分に差し込まれる。化粧パネルは、裏面である柱当接面が間柱の柱表裏面に当接する。そして、この状態から化粧パネル自体を下方に移動させると、フックがフック引掛け係止部分を挟み込むような状態で弾性変形する。この時、フックには復元力が作用し、これによって化粧パネルと間柱との係止及び固定が完了する。
【００４０】
以上のような工程を順に経ると、間仕切りパネルが部屋を仕切るように設置される。そして、間仕切りパネル設置後に上記の工程を逆から順に経ると、間仕切りパネルが撤去される。すなわち、化粧パネルを天井側から順に取り外し、幕板・巾木を間仕切り柱から取り外し、ガイドピンを柱側貫通孔及び貫通孔から抜き取り、間仕切り柱をスライドさせて柱導入部から取り外し、Ｔ型レールを天井及び床から取り外すと、間仕切りパネルが部屋から撤去される。
【００４１】
以上説明したように、部屋の間仕切りの取り付けや撤去を容易に且つ安価にすることが可能な間仕切りパネルを提供することができる。
【実施例１】
【００４２】
以下、この発明の具体的実施例を図面に基づいて詳細に説明する。図１はこの発明の第１実施例を示す図であり、（ａ）は間仕切りパネルの斜視図、（ｂ）はＴ型レールを介して立てられた間仕切り柱の斜視図である。
【００４３】
図１において、引用符号１は部屋２の中間を図示のように真っ直ぐに仕切る、本発明の間仕切りパネルを示している。間仕切りパネル１は、部屋２の天井３、床４、及び左右の壁５に固定される壁状のものであって、着脱式の複数の化粧パネル６と、天井３及び床４に取り付けられるＴ型レール７と、複数の間仕切り柱８と、間仕切り柱８をＴ型レール７に固定するためのガイドピン９と、幕板１０及び巾木１１とを備えて構成されている。以下、図１ないし図１３を参照しながら上記各構成部材について詳細に説明する。
【００４４】
図２（ａ）〜（ｉ）は化粧パネルの正面図、図２（ｊ）〜（ｌ）は化粧パネルのＡ−Ａ線断面図、図２（ｍ）〜（ｏ）は化粧パネルのＢ−Ｂ線断面図、図３（ａ）は化粧パネルの端の拡大図、図３（ｂ）は他の例の端の拡大図、図３（ｃ）は他の例の化粧パネルの正面図、図４（ａ）〜（ｄ）はフックに係る図、図５（ａ）〜（ｃ）はＴ型レールの図、図６（ａ）〜（ｄ）はＴ型レールとガイドピンの図、図７はスタート・エンド柱の斜視図、図８（ａ）、図８（ｂ）はスタート・エンド柱の断面図、図９（ａ）〜（ｄ）はスタート・エンド柱の上部及び下部の図、図１０はＴ型レールを介して立てた間柱の斜視図、図１１は間柱の上部側の側面図、図１２は間柱の中間部の側面図、図１３は間柱の下部側の側面図である。
【００４５】
上記化粧パネル６は、左側上パネル６ａ、左側中パネル６ｂ、左側下パネル６ｃ、上パネル６ｄ、中パネル６ｅ、下パネル６ｆ、右側上パネル６ｇ、右側中パネル６ｈ、及び右側下パネル６ｉの計９種類で構成されている。左側上パネル６ａ、左側下パネル６ｃ、右側上パネル６ｇ、及び右側下パネル６ｉは、それぞれ１個ずつ設けられており、左側中パネル６ｂ及び右側中パネル６ｈは、それぞれ３個ずつ設けられている。また、上パネル６ｄ及び下パネル６ｆは、それぞれ６個ずつ設けられており、中パネル６ｅは１８個設けられている。
【００４６】
化粧パネル６は、矩形状に形成されている。具体的には、左側上パネル６ａ、左側中パネル６ｂ、左側下パネル６ｃ、右側上パネル６ｇ、右側中パネル６ｈ、及び右側下パネル６ｉが４５０ｍｍ×３７５ｍｍの長方形状に形成されている。また、上パネル６ｄ、中パネル６ｅ、及び下パネル６ｆが４５０ｍｍ×４５０ｍｍの正方形状に形成されている。
【００４７】
化粧パネル６の表面側６ｊは、化粧面であり塗装仕上げ又は化粧シート貼り等が施されている（表面側６ｊの材質は木質系、無機質系、樹脂系）。また、本例では、化粧パネル６の裏面側６ｋは、遮音性や耐火性を有する板を貼り合わせて補強が施されている（裏面側６ｋの材質は木質系（合板）、無機質系（ロックウール板、ガラス質複層板、火山性ガラス質複層板））。化粧パネル６の端は、角をとって面取り仕上げがなされている。すなわち、テーパ６ｍが形成されている。テーパ６ｍに関して、左側上パネル６ａ、左側中パネル６ｂ、左側下パネル６ｃ、右側上パネル６ｇ、右側中パネル６ｈ、及び右側下パネル６ｉは、４つの辺の角うち、３つにテーパ６ｍが形成されており、縦方向の壁際の１辺は、テーパ６ｍが形成されていないものとなっている。また、上パネル６ｄ、中パネル６ｅ、及び下パネル６ｆは、４つの辺の角の全てがテーパ６ｍとなっている。左側上パネル６ａ、左側中パネル６ｂ、左側下パネル６ｃ、右側上パネル６ｇ、右側中パネル６ｈ、及び右側下パネル６ｉの縦方向の壁際の１辺でテーパ６ｍが存在しない辺は、その辺側を切断してパネル幅を調整することができるようになっている。
【００４８】
尚、テーパ６ｍを形成せずに図３（ｂ）に示されるようなエッジのままとしても当然によいものとする。その他、化粧パネル６は、図３（ｃ）の引用符号６′に示されるような長方形状に形成してもよいものとする。この場合、パネル数の削減に寄与することになる。また、仕上がりデザインの変化の多様化にも寄与する。
【００４９】
左側上パネル６ａ、左側中パネル６ｂ、上パネル６ｄ、中パネル６ｅ、右側上パネル６ｇ、及び右側中パネル６ｈの各下辺には、５．７ｍｍの突起状の嵌合部６ｎが形成されている。また、左側中パネル６ｂ、中パネル６ｅ、及び右側中パネル６ｈの各上辺には、左側上パネル６ａ、上パネル６ｄ、及び右側上パネル６ｇの各嵌合部６ｎに嵌合する凹状の被嵌合部６ｐが形成されている。また、左側中パネル６ｂ、中パネル６ｅ、及び右側中パネル６ｈの各下辺には、５．７ｍｍの突起状の嵌合部６ｎが形成されている（図１４、１５参照）。さらに、左側下パネル６ｃ、下パネル６ｆ、及び右側下パネル６ｉの各上辺には、左側中パネル６ｂ、中パネル６ｅ、及び右側中パネル６ｈの各嵌合部６ｎに嵌合する凹状の被嵌合部６ｐ（図１６の参照）が形成されている。尚、図からも分かるように、上記各化粧パネル（６ａ〜６ｉ）の縦方向の辺に、上記嵌合部６ｎ、被嵌合部６ｐは形成されていない。
【００５０】
化粧パネル６の裏面は、間仕切り柱８の柱表裏面に当接する柱当接面であって、平坦な面となるように形成されている。このような化粧パネル６の裏面には、フック１２が設けられている。フック１２に関して、左側下パネル６ｃ、下パネル６ｆ、及び右側下パネル６ｉは、その裏面の四隅に設けられている。他のパネルは、裏面上部の二隅に設けられている。フック１２は、材質が金属系（ＺＡＭ鋼板）で板厚２．３ｍｍとなる金属板を加工することにより形成されている。フック１２は、帯板状のフック取り付け部１２ａと、そのフック取り付け部１２ａの端部に連続するＬ字状のフック主部１２ｂとを有している。
【００５１】
フック取り付け部１２ａには、化粧パネル６の裏面に対して固定するための、木ネジ１２ｃのねじ込み用の貫通孔１２ｄが形成されている。フック１２は、Ｌ字状のフック主部１２ｂが弾性を有するように形成されている。フック主部１２ｂは、化粧パネル６の裏面に対して垂直方向にのびる部分と、水平方向にのびる部分とを有しており、後述する間柱１４の柱表裏面に化粧パネル６の裏面（柱当接面）を密着させることができるように形成されている。フック主部１２ｂの先端部は、若干外側に折れ曲がるように形成されている。フック主部１２ｂの先端部は、後述のフック引掛け係止部分１４ｋの差し込みを容易とするように形成されている。フック主部１２ｂは、１３ｍｍの長さで形成されている。また、化粧パネル６の裏面（柱当接面）からフック主部１２ｂの先端部までの高さは、１１．３ｍｍとなるように形成されている。
【００５２】
上記Ｔ型レール７は、本例では図５（ａ）に示されるように、端面がＴ字状の形状となるアルミニウム製のレールであって、天井３に固定される上レール７ａと、床４に固定される下レール７ｂとを有している。上レール７ａ及び下レール７ｂは、左右の壁５の間隔に合わせてその長さが設定されている。上レール７ａ及び下レール７ｂは、真っ直ぐに形成されており、互いが平行となるように固定されている。上レール７ａ及び下レール７ｂは、それぞれ天井３又は床４に固定するためのレール基部７ｃと、レール基部７ｃの中央から垂直方向に突出する凸部７ｄとを有している。レール基部７ｃには、中空アンカー用の下穴７ｅとビス用の下穴７ｆとが所定の間隔で複数形成されている。上レール７ａ及び下レール７ｂは、中空アンカーやビス７ｇで天井３及び床４に固定されている（図１４、１６参照）。
【００５３】
凸部７ｄには、柱導入部７ｈが形成されている（図１０参照）。また、凸部７ｄには、所定の間隔で貫通孔７ｉが複数形成されている。柱導入部７ｈは、凸部７ｄを部分的に取り除くようにして形成されている。より具体的には、間仕切り柱８の柱両側面間の長さよりも長く凸部７ｄを取り除くようにして形成されている（レールを分割し、そして、分割したレールを、間隔をあけて取り付けるようにすれば、柱導入部７ｈと同じ機能の部分を形成することができる）。貫通孔７ｉは、後述する間柱１４の配置に合わせて形成されている。貫通孔７ｉは、上下方向にのびる長い長円形に形成されている。貫通孔７ｉの上下方向の長さは１５ｍｍ、左右方向の幅は６ｍｍとなるように形成されている。このような貫通孔７ｉは、上記ガイドピン９を上下方向に移動可能とするために形成されている。
【００５４】
上記ガイドピン９は、直径５ｍｍの丸棒となるように形成されている（材質は金属系（アルミニウム））。ガイドピン９は、Ｔ型レール７における貫通孔７ｉの上下方向の長さ及び左右方向の幅よりも、そのサイズが小さいことから、貫通孔７ｉの上下方向に対して移動可能に、また、左右方向に対して多少ガタツキを有するように形成されている。ガイドピン９の端面には、テーパ９ａが本例では全周にわたって形成されている。ガイドピン９は、後述する間柱１４の柱側貫通孔１４ｆから突出しない長さ（ここでは４７ｍｍ）となるように形成されている。
【００５５】
上記間仕切り柱８は、左右の壁５に接触するような状態で壁５に並設されるスタート・エンド柱１３（ここでは６０ｍｍ×４５ｍｍ）と、そのスタート・エンド柱１３の間に配置される複数の間柱１４（ここでは６０ｍｍ×４５ｍｍ）とを有している。スタート・エンド柱１３は２本、間柱１４は９本設けられている。間柱１４は、スタート・エンド柱１３に接触、又は近傍に配置される２本の間柱１４ａと、その間柱１４ａの間に配置される７本の間柱１４ｂとを有している。
【００５６】
スタート・エンド柱１３は、化粧パネル６からの荷重が掛からない柱として設けられており、その内部が部分的に中空構造となるように構成されている。スタート・エンド柱１３は、柱上部の上部芯材１３ａと、柱下部の下部芯材１３ｂと、柱中間の複数の中間部芯材１３ｃと、柱表裏面を形成する表裏面薄板１３ｄと、柱両側面を形成する側面薄板１３ｅとを備えて構成されている。上部芯材１３ａ、下部芯材１３ｂ、及び複数の中間部芯材１３ｃは、材質が木質系（合板（クロス合板、平行合板（ＬＶＬ）））のものを用いてそれぞれ図示のようなブロック形状に形成されている。また、表裏面薄板１３ｄ及び側面薄板１３ｅは、材質が木質系（ＭＤＦ、繊維板、合板）のものを用いてそれぞれ図示のような板状に形成されている。上部芯材１３ａ、下部芯材１３ｂ、及び複数の中間部芯材１３ｃは、所定の間隔をあけて配置されており、これらを表裏面薄板１３ｄ及び側面薄板１３ｅで連結するとスタート・エンド柱１３が形成されるようになっている。
【００５７】
上部芯材１３ａ、下部芯材１３ｂ、及び複数の中間部芯材１３ｃには、左右の壁５に対して木ネジなどで固定するためのネジ孔１３ｆが形成されている。そのネジ孔１３ｆは、柱両側面間を貫通するように形成されている。ネジ孔１３ｆは、図示のような段付き形状に形成されている。
【００５８】
上部芯材１３ａには、凸部差込溝１３ｇ（特許請求の範囲に記載した溝に相当する）と凹部１３ｈとが形成されている。凸部差込溝１３ｇは、端面中央で且つ柱両側面間を切り欠くように形成されている。凸部差込溝１３ｇは、Ｔ型レール７（上レール７ａ）の凸部７ｄのサイズよりも大きく形成（深く形成）されている（尚、深く形成することで、上部芯材１３ａの端面側を切削すればスタート・エンド柱１３の全長を調整することができる）。凹部１３ｈは、柱表裏面側に形成されている。凹部１３ｈには、上記幕板１０が取り付けられるようになっている。
【００５９】
下部芯材１３ｂには、レール基部逃がし１３ｉと、凸部差込溝１３ｊ（特許請求の範囲に記載した溝に相当する）と、凹部１３ｋと、壁巾木逃がし１３ｍとが形成されている。レール基部逃がし１３ｉは、Ｔ型レール７（下レール７ｂ）のレール基部７ｃに対する逃がし部分であって、下部芯材１３ｂの端面を凹ませるように形成されている。凸部差込溝１３ｊは、レール基部逃がし１３ｉの中央で且つ柱両側面間を切り欠くように形成されている。凸部差込溝１３ｊは、Ｔ型レール７（下レール７ｂ）の凸部７ｄのサイズよりも大きく形成（深く形成）されている。凹部１３ｋは、柱表裏面側に形成されている。凹部１３ｋには、上記巾木１１が取り付けられるようになっている。壁巾木逃がし１３ｍは、左右の壁５の既存の巾木１５に対する逃がし部分であって、壁５側の柱側面を凹ませるように形成されている。壁巾木逃がし１３ｍには、特に図示しないが、壁５の既存の巾木１５に密着する、ゴムやスポンジ等の弾性密着部材が設けられている（弾性密着部材は、既存の巾木１５に対して隙間無く密着する。弾性密着部材は、左右の壁５と間仕切りパネル１との間の隙間等の発生防止に好適であるとともに、遮光、遮音、遮視においても好適である）。
【００６０】
間柱１４ａ、１４ｂは、配置が違うだけでどちらも同じに形成されている。以下、間柱１４で説明する。間柱１４は、スタート・エンド柱１３とは逆に、化粧パネル６からの荷重が掛かる柱として設けられている。間柱１４は、材質が木質系（合板（クロス合板、平行合板（ＬＶＬ））で十分な強度を有しており、スタート・エンド柱１３とは逆に、一体もので、言い換えれば本例では密実構造のもので形成されている。
【００６１】
間柱１４には、その上部１４ｃ及び下部１４ｄに凸部差込溝１４ｅ（特許請求の範囲に記載した溝に相当する）と柱側貫通孔１４ｆとがそれぞれ形成されている。凸部差込溝１４ｅは、端面中央で且つ柱両側面間を切り欠くように形成されている。凸部差込溝１４ｅは、スタート・エンド柱１３の凸部差込溝１３ｇ、１３ｊと同じ形状に形成されている。柱側貫通孔１４ｆは、柱表裏面間を貫通するように略円形に形成されている。また、柱側貫通孔１４ｆは、凸部差込溝１４ｅに略直交するように形成されている。柱側貫通孔１４ｆは、直径５ｍｍのガイドピン９がスムーズに差し込めるような直径に、又はガイドピン９と同じ直径５ｍｍに形成されている。間柱１４には、その上部１４ｃ及び下部１４ｄに幕板１０、巾木１１に対する凹部１４ｇ、１４ｈが形成されている。凹部１４ｇ、１４ｈは、柱表裏面側に形成されている。間柱１４の中間には、複数のフック係止部１４ｉが形成されている。
【００６２】
フック係止部１４ｉは、化粧パネル６を取り付けるための部分、言い換えれば化粧パネル６のフック１２を引っ掛ける部分であって、柱表裏面を凹ませるように形成されている。このようなフック係止部１４ｉは、フック導入部分１４ｊとフック引掛け係止部分１４ｋとを有している。フック導入部分１４ｊは、間柱１４の柱表裏面方向、言い換えれば厚み方向に凹ませるように形成されている。フック導入部分１４ｊの深さは、化粧パネル６のフック１２のサイズに合わせて形成されている。また、フック導入部分１４ｊの深さは、化粧パネル６を間柱１４に取り付けた際に、化粧パネル６の裏面（柱当接面）が間柱１４の柱表裏面に当接するような深さに形成されている。具体的には、１０．５ｍｍの深さにフック導入部分１４ｊが形成されている。フック導入部分１４ｊの開口幅は、３５ｍｍとなるように形成されている。
【００６３】
フック引掛け係止部分１４ｋは、フック１２を引っ掛けて係止するための溝であって、フック導入部分１４ｊの奥面から間柱１４の上部１４ｃ及び下部１４ｄに向けて切り欠くように形成されている。フック引掛け係止部分１４ｋは、１つのフック係止部１４ｉに２つ形成されている。フック引掛け係止部分１４ｋは、その溝深さが１８ｍｍ、溝幅が５．５ｍｍ、溝を形成するための壁の肉厚が５ｍｍとなるように形成されている。フック係止部１４ｉは、間柱１４において上から１番目と２番目のピッチが４０８ｍｍ、下から１番目と２番目のピッチが３５４．５ｍｍ、その他のピッチが４５０ｍｍとなるように形成されている。
【００６４】
上記幕板１０及び巾木１１は、帯板状に形成されている。幕板１０は、スタート・エンド柱１３の凹部１３ｈと間柱１４の凹部１４ｇとに跨って取り付けられるように形成されている。巾木１１は、幕板１０と同様、スタート・エンド柱１３の凹部１３ｋと間柱１４の凹部１４ｈとに跨って取り付けられるように形成されている。幕板１０及び巾木１１は、ガイドピン９の脱落防止や、ガイドピン９を隠して美観向上に寄与する部材として設けられている。
【００６５】
次に、図１ないし図１６を参照しながら間仕切りパネル１の設置工程について説明する。図１４は間仕切りパネルの間柱上部側の断面図、図１５は間柱中間部の断面図、図１６は間柱下部側の断面図である。
【００６６】
間仕切りパネル１は、Ｔ型レール７の取り付け工程と、スタート・エンド柱１３の取り付け工程と、間柱１４ａ、１４ｂの取り付け工程と、幕板１０及び巾木１１の取り付け工程と、化粧パネル６の取り付け工程とを順に経て部屋２に設置される。
【００６７】
Ｔ型レール７の取り付け工程は、上レール７ａを天井３に、また、下レール７ｂを床４に取り付ける工程である。具体的に説明すると、上レール７ａ及び下レール７ｂは、天井３及び床４に対して真っ直ぐに取り付けられる。
【００６８】
スタート・エンド柱１３の取り付け工程は、天井３及び床４に取り付けられた上レール７ａ及び下レール７ｂを介して、スタート・エンド柱１３を上下方向に立てて固定する工程である。具体的に説明すると、スタート・エンド柱１３を上レール７ａ及び下レール７ｂの柱導入部７ｈにセットし、その後、スタート・エンド柱１３を上レール７ａ及び下レール７ｂのレール延在方向にスライドさせる。この時、凸部７ｄには、凸部差込溝１３ｇ、１３ｊが差し込まれる。そして、スタート・エンド柱１３を左右の壁５に各々接触させると、スタート・エンド柱１３は、仮固定の状態で天井３及び床４の間に立てられる。天井３及び床４の間に立てられたスタート・エンド柱１３は、その後、ネジ孔１３ｆに差し込まれた図示しないビスで左右の壁５に各々固定される。これによりスタート・エンド柱１３の取り付けが完了する。
【００６９】
間柱１４ａ、１４ｂの取り付け工程は、天井３及び床４に取り付けられた上レール７ａ及び下レール７ｂを介して、間柱１４ａ、１４ｂを上下方向に立てて固定する工程である。具体的に説明すると、間柱１４ａを上レール７ａ及び下レール７ｂの柱導入部７ｈにセットし、その後、間柱１４ａを上レール７ａ及び下レール７ｂのレール延在方向にスライドさせ、スタート・エンド柱１３に接触、又はその近傍に配置すると、仮固定の状態で天井３及び床４の間に立てられる。この時、凸部７ｄには、凸部差込溝１４ｅが差し込まれる。そして、天井３及び床４の間に立てられた間柱１４ａの柱側貫通孔１４ｆと、上レール７ａ及び下レール７ｂの凸部７ｄの貫通孔７ｉとに跨ってガイドピン９を差し込むと、間柱１４ａの上レール７ａ及び下レール７ｂに対する固定が行われて取り付けが完了する。
【００７０】
一方、間柱１４ｂの場合には、間柱１４ｂを上レール７ａ及び下レール７ｂの柱導入部７ｈにセットし、その後、間柱１４ｂを上レール７ａ及び下レール７ｂのレール延在方向にスライドさせ、先に取り付けた間柱１４ａから所定の間隔で配置すると、仮固定の状態で天井３及び床４の間に立てられる。この時、凸部７ｄには、凸部差込溝１４ｅが差し込まれる。そして、天井３及び床４の間に立てられた間柱１４ｂの柱側貫通孔１４ｆと、上レール７ａ及び下レール７ｂの凸部７ｄの貫通孔７ｉとに跨ってガイドピン９を差し込むと、間柱１４ｂの上レール７ａ及び下レール７ｂに対する固定が行われて取り付けが完了する。
【００７１】
幕板１０及び巾木１１の取り付け工程は、上レール７ａ及び下レール７ｂを介して天井３及び床４に取り付けられたスタート・エンド柱１３及び間柱１４ａ、１４ｂの凹部１３ｈ、１３ｋ、１４ｇ、１４ｈに幕板１０、巾木１１を取り付ける工程である。スタート・エンド柱１３及び間柱１４ａ、１４ｂの凹部１３ｈ、１３ｋ、１４ｇ、１４ｈに幕板１０、巾木１１が取り付けられると、ガイドピン９が覆われてそのガイドピン９の移動が不能となる。幕板１０及び巾木１１によってガイドピン９の存在が外観上分からなくなる。
【００７２】
化粧パネル６の取り付け工程は、間柱１４ａ、１４ｂの柱表裏面に化粧パネル６を取り付ける工程である。化粧パネル６は、左側下パネル６ｃを左下に取り付け、その左側下パネル６ｃの右隣に６つの下パネル６ｆを横一列に並ぶように取り付け、そして、右側下パネル６ｉを右下に取り付けると、先ず床３側の列の取り付けが完了する。次に、左側下パネル６ｃの上に左側中パネル６ｂを取り付け、その左側中パネル６ｂの右隣に６つの中パネル６ｅを横一列に並ぶように取り付け、そして、右側中パネル６ｈを右側下パネル６ｉの上に取り付けると、床３側から数えて２列目の取り付けが完了する。その後、同様に取り付けを行い、最後に左側上パネル６ａ、６つの上パネル６ｄ、右側上パネル６ｇを取り付けると、化粧パネル６の取り付けに係る一連の作業が完了する（他の施工方法としては、左右の壁５の一方側の床側の化粧パネル（左側下パネル６ｃ）から、順次上方へ取り付け、一列目が完了すると、続いて二列目を床側から天井へかけて順次取り付けていく。そして、もう一方の壁の方まで取り付けると化粧パネルの取付が完了する）
【００７３】
化粧パネル６と間柱１４ａ、１４ｂとの係止固定は、化粧パネル６の裏面のフック１２を間柱１４ａ、１４ｂの柱表裏面のフック係止部１４ｉに係止させることにより行われる。具体的には、化粧パネル６を対応する間柱１４ａ、１４ｂに向けて移動させると、フック１２のフック主部１２ｂがフック導入部分１４ｊに差し込まれる。化粧パネル６は、裏面である柱当接面が間柱１４ａ、１４ｂの柱表裏面に当接する。そして、この状態から化粧パネル６自体を下方に移動させると、フック１２のフック主部１２ｂがフック引掛け係止部分１４ｋを挟み込むような状態で弾性変形する。この時、フック１２のフック主部１２ｂには復元力が作用し、これによって化粧パネル６と間柱１４ａ、１４ｂとの係止及び固定が完了する。
【００７４】
尚、床３側から数えて１列目の化粧パネル６と間柱１４ａ、１４ｂとの係止固定は、各化粧パネル６の４つのフック１２が用いられる。また、他の列の係止固定は、各化粧パネル６の２つのフック１２が用いられるとともに、嵌合部６ｎ及び被嵌合部６ｐの嵌合係止が用いられる。化粧パネル６は、しっかりとした状態で間柱１４ａ、１４ｂに対し取り付けられる。
【００７５】
化粧パネル６の取り付け工程が完了すると、本発明の間仕切りパネル１が部屋２を仕切るように設置される。そして、間仕切りパネル１の設置後に上記の工程を逆から順に経ると、間仕切りパネル１が容易に撤去される。すなわち、化粧パネル６を天井３側から順に取り外し、幕板１０及び巾木１１を間仕切り柱８から取り外し、ガイドピン９を柱側貫通孔１４ｆ及び貫通孔７ｉから抜き取り、間仕切り柱８をスライドさせて柱導入部ｈから取り外し、Ｔ型レール７を天井３及び床４から取り外すと、間仕切りパネル１が部屋２から撤去される。
【００７６】
以上、図１ないし図１６を参照しながら説明してきたように、本発明の間仕切りパネル１は、家族構成の変化に基づいて容易に部屋２の間仕切りを変えることができる。本発明の間仕切りパネル１は、化粧パネル６を引っ掛けるだけであるから、間仕切りを新しくすることも色柄を変えることも可能である。また、工事費用が安価であり、いわゆる日曜大工でも取り付け取り外しが行える。以上の説明は、Ｔ型レール７を用いた場合の説明であるが、Ｌ型レールを用いた場合でも同様の効果を奏することは云うまでもない。
【実施例２】
【００７７】
図１７はこの発明の第２実施例を示す図である。図１７（ａ）はコーナー柱を有するＬ型の間仕切りパネルの断面図、図１７（ｂ）はコーナー柱の斜視図である。尚、第１実施例と基本的に同じ構成部材については同一の符号を付して説明を省略する。
【００７８】
第１実施例では、部屋２を真っ直ぐに間仕切る説明をしたが、図１７の第２実施例のＬ型の間仕切りパネル２１では、コーナー柱２２や角見切２３を用いて間仕切りに変化を持たせている。具体的に説明すると、Ｌ型の間仕切りパネル２１は、第１実施例の間仕切りパネル１の構成部材の他に、コーナー柱２２と角見切２３とを更に備えて構成されている。間仕切りパネル２１は、この中間が略直角に折れ曲がるように形成されている。以下、略直角に折れ曲がる部分２４のみを説明する（他の部分は第１実施例と同じであるものとする）。
【００７９】
略直角に折れ曲がる部分２４には、コーナー柱２２（ここでは６０ｍｍ×６０ｍｍ）が設けられている。このコーナー柱２２は、密実に形成されたものが用いられている。コーナー柱２２の側面２２ａ、２２ｂの近傍には、それぞれ間柱１４が配設されている。コーナー柱２２の側面２２ａ、２２ｂは、フラットな面に形成されている。一方、コーナー柱２２の側面２２ｃ、２２ｄには、それぞれフック係止部１４ｉが複数形成されている。コーナー柱２２におけるフック係止部１４ｉは、側面２２ｃ、２２ｄの幅方向半分の位置まで形成されている。側面２２ｃ、２２ｄの幅方向残り半分は、フラットな面に形成されている。コーナー柱２２のフック係止部１４ｉは、間柱１４のフック係止部１４ｉ（図１７では図示省略）と同じ位置に同じ数だけ形成されている。
【００８０】
コーナー柱２２の上面及び下面には、凸部差込溝（特許請求の範囲に記載した溝に相当）が形成されている（図示省略）。この凸部差込溝は、Ｌ型に形成されている。図１７（ａ）中の引用符号２５はＴ型レール７の凸部７ｄの位置を示す仮想線である。凸部差込溝は、仮想線２５に沿って形成されている。
【００８１】
図１７（ａ）中の引用符号Ｃ側の化粧パネル６は、この裏面に取り付けたフック１２（図１７では図示省略）がコーナー柱２２のフック係止部１４ｉに係止されることにより、他の化粧パネル６と同様に取り付けられている。一方、引用符号Ｄ側の化粧パネル６′は、この裏面に取り付けたフック１２（図１７では図示省略）が間柱１４のフック係止部１４ｉに係止されることにより取り付けられている。Ｄ側の化粧パネル６′は、Ｃ側の化粧パネル６よりも幅方向の寸法が短くなるように形成されている（化粧パネル６の縦方向の側面を所定の長さで切断することによりＤ側の化粧パネル６′が形成されている）。角見切２３は、断面がＬ型となる形状に形成されており、Ｄ側の化粧パネル６′の端面と間柱１４とを覆うように設けられている。
【００８２】
第２実施例は、第１実施例と同様の作用効果を奏するのは云うまでもない。
【実施例３】
【００８３】
図１８はこの発明の第３実施例を示すＴ型の間仕切りパネルの断面図である。尚、第１実施例と基本的に同じ構成部材については同一の符号を付して説明を省略する。
【００８４】
第３実施例となる図１８のＴ型の間仕切りパネル３１は、第１実施例の真っ直ぐな間仕切りパネル１を２つ備えており、これら２つの間仕切りパネル１をＴ型に配置することにより形成されている（上記の数は一例であるものとする）。具体的には、一方の間仕切りパネル１の中間３２に他方の間仕切りパネル１の端部、すなわちスタート・エンド柱１３を突き当てるようにして第３実施例のＴ型の間仕切りパネル３１が形成されている。このような第３実施例においても、第１実施例と同様の作用効果を奏するのは云うまでもない。
【実施例４】
【００８５】
図１９はこの発明の第４実施例を示す図である。図１９（ａ）は独立壁タイプの間仕切りパネルの断面図、（ｂ）は独立壁タイプの間仕切りパネルの配置説明図である。尚、第１実施例と基本的に同じ構成部材については同一の符号を付して説明を省略する。
【００８６】
第４実施例となる図１９の独立壁タイプの間仕切りパネル４１は、第１実施例の真っ直ぐな間仕切りパネル１に対して、スタート・エンド柱１３を左右の壁５から離したものである。スタート・エンド柱１３と左右の壁５との間には、例えば通路４２が確保されている。
【実施例５】
【００８７】
図２０はこの発明の第５実施例を示す間仕切りパネルの断面図である。また、図２１はフック及び間柱の斜視図、図２２は化粧パネルの裏面側の斜視図である。尚、第１実施例と基本的に同じ構成部材については同一の符号を付して説明を省略する。
【００８８】
図２０ないし図２２において、第５実施例の間仕切りパネル５１を構成する間柱１４には、フック５２が設けられている（第１実施例のフック１２でも可）。また、化粧パネル６には、フック５２を引っ掛けるためのフック係止部１４ｉが形成されている。
【００８９】
フック５２は、フック取り付け部５２ａと、そのフック取り付け部５２ａの端部に連続するＬ字状のフック主部５２ｂとを有している。フック５２は、フック取り付け部５２ａに木ネジ５２ｃをねじ込むことにより間柱１４に対して固定されている。フック５２は、Ｌ字状のフック主部５２ｂが弾性を有するように形成されている。フック主部５２ｂの先端部は、若干外側に折れ曲がるように形成されている。フック主部５２ｂの先端部は、フック係止部１４ｉのフック引掛け係止部分１４ｋの差し込みを容易とするように形成されている。
【００９０】
化粧パネル６のフック係止部１４ｉは、第１実施例で説明した間柱１４のフック係止部１４ｉと同様、フック導入部分１４ｊと、上下一対のフック引掛け係止部分１４ｋとを有している。
【００９１】
第５実施例は、第１実施例と同様の作用効果を奏するのは云うまでもない。
【実施例６】
【００９２】
図２３はこの発明の第６実施例を示す間仕切りパネルの断面図である。また、図２４はフック及び間柱の斜視図である。尚、第１実施例と基本的に同じ構成部材については同一の符号を付して説明を省略する。
【００９３】
図２３及び図２４において、第６実施例の間仕切りパネル６１を構成する間柱１４には、フック６２を一体形成した横桟６３が設けられている。また、化粧パネル６には、フック６２を引っ掛けるためのフック係止部１４ｉが形成されている。
【００９４】
横桟６３は、木ネジ６４を用いて間柱１４に取り付けられている。引用符号６５は、横桟６３を取り付けるために間柱１４に形成した凹部を示している。
【００９５】
第６実施例は、第１実施例と同様の作用効果を奏するのは云うまでもない。
【００９６】
その他、本発明は本発明の主旨を変えない範囲で種々変更実施可能なことは勿論である。
【図面の簡単な説明】
【００９７】
【図１】この発明の第１実施例を示す図であり、（ａ）は間仕切りパネルの斜視図、（ｂ）はＴ型レールを介して立てられた間仕切り柱の斜視図である。
【図２】化粧パネルの図であり、（ａ）は左側上パネルの正面図、（ｂ）は左側中パネルの正面図、（ｃ）は左側下パネルの正面図、（ｄ）は上パネルの正面図、（ｅ）は中パネルの正面図、（ｆ）は下パネルの正面図、（ｇ）は右側上パネルの正面図、（ｈ）は右側中パネルの正面図、（ｉ）は右側下パネルの正面図、（ｊ）〜（ｌ）はＡ−Ａ線断面図、（ｍ）〜（ｏ）はＢ−Ｂ線断面図である。
【図３】（ａ）は化粧パネルの端の拡大図、（ｂ）は他の例の端の拡大図、（ｃ）は他の例の化粧パネルの正面図である。
【図４】フックに係る図であり、（ａ）は正面図、（ｂ）は底面図、（ｃ）は側面図、（ｄ）はフックを固定する木ネジの側面図である。
【図５】Ｔ型レールの図であり、（ａ）は端面図、（ｂ）は上レールの斜視図、（ｃ）は下レールの斜視図である。
【図６】Ｔ型レールとガイドピンの図であり、（ａ）は上レールとガイドピンの斜視図、（ｂ）は下レールとガイドピンの斜視図、（ｃ）はＴ型レールの断面図、（ｄ）はガイドピンの側面である。
【図７】スタート・エンド柱の斜視図である。
【図８】（ａ）、（ｂ）はスタート・エンド柱の断面図である。
【図９】スタート・エンド柱の上部及び下部の図であり、（ａ）は上部の正面図、（ｂ）は上部の側面図、（ｃ）は下部の正面図、（ｄ）は下部の側面図である。
【図１０】Ｔ型レールを介して立てた間柱の斜視図である。
【図１１】間柱の上部側の側面図である。
【図１２】間柱の中間部の側面図である。
【図１３】間柱の下部側の側面図である。
【図１４】間仕切りパネルの間柱上部側の断面図である。
【図１５】間仕切りパネルの間柱中間部の断面図である。
【図１６】間仕切りパネルの間柱下部側の断面図である。
【図１７】この発明の第２実施例を示す図であり、（ａ）はコーナー柱を有するＬ型間仕切りパネルの断面図、図１７（ｂ）はコーナー柱の斜視図である。
【図１８】この発明の第３実施例を示すＴ型の間仕切りパネルの断面図である。
【図１９】この発明の第４実施例を示す図であり、（ａ）は独立壁タイプの間仕切りパネルの断面図、（ｂ）は独立壁タイプの間仕切りパネルの配置説明図である。
【図２０】この発明の第５実施例を示す間仕切りパネルの断面図である。
【図２１】図２０のフック及び間柱の斜視図である。
【図２２】図２０の化粧パネルの裏面側の斜視図である。
【図２３】この発明の第６実施例を示す間仕切りパネルの断面図である。
【図２４】図２３のフック及び間柱の斜視図である。
【符号の説明】
【００９８】
１  間仕切りパネル
２  部屋
３  天井
４  床
５  壁
６、６′  化粧パネル
６ａ  左側上パネル
６ｂ  左側中パネル
６ｃ  左側下パネル
６ｄ  上パネル
６ｅ  中パネル
６ｆ  下パネル
６ｇ  右側上パネル
６ｈ  右側中パネル
６ｉ  右側下パネル
６ｊ  化粧パネルの表面側
６ｋ  化粧パネルの裏面側
６ｍ  テーパ
６ｎ  嵌合部
６ｐ  被嵌合部
７  Ｔ型レール
７ａ  上レール
７ｂ  下レール
７ｃ  レール基部
７ｄ  凸部
７ｅ  中空アンカー用の下穴
７ｆ  ビス用の下穴
７ｇ  ビス
７ｈ  柱導入部
７ｉ  貫通孔
８  間仕切り柱
９  ガイドピン
９ａ  テーパ
１０  幕板
１１  巾木
１２  フック
１２ａ  フック取り付け部
１２ｂ  フック主部
１２ｃ  木ネジ
１２ｄ  貫通孔
１３  スタート・エンド柱
１３ａ  上部芯材
１３ｂ  下部芯材
１３ｃ  中間部芯材
１３ｄ  表裏面薄板
１３ｅ  側面薄板
１３ｆ  ネジ孔
１３ｇ、１３ｊ  凸部差込溝（溝）
１３ｈ、１３ｋ  凹部
１３ｉ  レール基部逃がし
１３ｍ  壁巾木逃がし
１４  間柱
１４ａ、１４ｂ  間柱
１４ｃ  上部
１４ｄ  下部
１４ｅ  凸部差込溝（溝）
１４ｆ  柱側貫通孔
１４ｇ、１４ｈ  凹部
１４ｉ  フック係止部
１４ｊ  フック導入部分
１４ｋ  フック引掛け係止部分
１５  既存の巾木
２１  Ｌ型の間仕切りパネル
２２  コーナー柱
２２ａ〜２２ｄ  側面
２３  角見切
２４  略直角に折れ曲がる部分
２５  凸部の位置を示す仮想線
３１  Ｔ型の間仕切りパネル
３２  中間
４１  独立タイプの間仕切りパネル
４２  通路
５１  間仕切りパネル
５２  フック
５２ａ  フック取り付け部
５２ｂ  フック主部
５２ｃ  木ネジ
６１  間仕切りパネル
６２  フック
６３  横桟
６４  木ネジ
６５  凹部
【図１】
2006183273.tif 000003
【図２】
2006183273.tif 000004
【図３】
2006183273.tif 000005
【図４】
2006183273.tif 000006
【図５】
2006183273.tif 000007
【図６】
2006183273.tif 000008
【図７】
2006183273.tif 000009
【図８】
2006183273.tif 000010
【図９】
2006183273.tif 000011
【図１０】
2006183273.tif 000012
【図１１】
2006183273.tif 000013
【図１２】
2006183273.tif 000014
【図１３】
2006183273.tif 000015
【図１４】
2006183273.tif 000016
【図１５】
2006183273.tif 000017
【図１６】
2006183273.tif 000018
【図１７】
2006183273.tif 000019
【図１８】
2006183273.tif 000020
【図１９】
2006183273.tif 000021
【図２０】
2006183273.tif 000022
【図２１】
2006183273.tif 000023
【図２２】
2006183273.tif 000024
【図２３】
2006183273.tif 000025
【図２４】
2006183273.tif 000026